(57)【要約】【課題】重畳表示されたエリア全体の把握が可能な地図画像の表示を行う「情報処理装置」の提供。【解決手段】自機の現在位置を検出する自機位置検出手段と、地図情報を記憶する地図情報記憶部と、所定の属性を有するエリア情報を取得するエリア情報取得手段と、検出された前記自機の現在位置と前記地図情報に基づく前記自機位置を示す地図画像に、取得した前記エリア情報に基づく前記エリアを前記地図画像に重畳表示した第１の重畳地図画像を表示部に表示する表示制御手段と、を有する情報処理装置であって、更に、前記第１の重畳地図画像に重畳表示された前記エリアが所定の表示態様であるか否かを判定する表示態様判定手段を有し、該表示態様判定手段が所定の表示態様でないと判定したときに、前記表示制御手段は前記第１の重畳地図画像を所定の表示態様となる第２の重畳地図画像に変更表示する構成である。【選択図】図２
2018049094.tif 000002
【特許請求の範囲】
【請求項１】
自機の現在位置を検出する自機位置検出手段と、
地図情報を記憶する地図情報記憶部と、
所定の属性を有するエリアに関するエリア情報を取得するエリア情報取得手段と、
検出された前記自機の現在位置と前記地図情報に基づく前記自機位置を示す地図画像に、取得した前記エリア情報に基づく前記エリアを前記地図画像に重畳表示した第１の重畳地図画像を表示部に表示する表示制御手段と、
を有する情報処理装置であって、
更に、前記第１の重畳地図画像に重畳表示された前記エリアが所定の表示態様であるか否かを判定する表示態様判定手段を有し、
該表示態様判定手段が所定の表示態様でないと判定したときに、前記表示制御手段は、前記第１の重畳地図画像を所定の表示態様となる第２の重畳地図画像に変更表示する情報処理装置。
【請求項２】
前記表示態様判定手段は、前記第１の重畳地図画像に重畳表示される前記エリアの境界が該エリアの境界全体の所定割合以下の表示であるときに、前記表示態様が所定の表示態様でないと判定し、該判定に基づいて、前記表示制御手段は、前記第１の重畳地図画像の縮尺を小さくして前記エリアの境界を境界全体の所定割合を超えた表示とする第２の重畳地図画像に変更表示する請求項１に記載の情報処理装置。
【請求項３】
前記表示態様判定手段は、前記第１の重畳地図画像に重畳表示される前記エリアに隣接する隣接エリアが存在し、前記隣接エリアの属性レベルが前記エリアの属性レベル以上であるときに、前記第１の重畳地図画像に重畳表示される前記エリア及び前記隣接エリアの境界の少なくとも一方がそれぞれの境界全体の所定割合以下の表示であるときに、前記表示態様が所定の表示態様でないと判定し、前記所定の表示態様でないとの判定に基づいて、前記表示制御手段は、前記第１の重畳地図画像の縮尺を小さくして前記エリア及び前記隣接エリアの境界を境界全体の所定割合を超えた重畳表示とする第２の地図画像に変更表示する請求項１に記載の情報処理装置。
【請求項４】
前記表示態様判定手段は、前記第１の重畳地図画像に重畳表示される前記エリアが前記自機から離れた、前記自機の進行方向の前方に位置し、前記エリアの境界の全体が表示されていないときに、前記表示態様が所定の表示態様でないと判定し、前記所定の表示態様でないとの判定に基づいて、前記表示制御手段は、前記第１の重畳地図画像の縮尺を小さくして前記エリアの境界全体を重畳表示する第２の重畳地図画像に変更表示する請求項１に記載の情報処理装置。
【請求項５】
前記表示制御手段は、前記第１の重畳地図画像に重畳表示される前記エリアの境界が該エリアの境界全体の所定割合以下の表示態様であるときに、前記第１の重畳地図画像を所定距離移動させることで前記エリアの境界が該エリアの境界全体の所定割合を超えるときは、前記所定距離移動した前記第１の重畳地図画像を前記第２の重畳地図画像として変更表示する請求項２に記載の情報処理装置。
【請求項６】
前記表示制御手段は、前記第２の重畳地図画像を前記第１の重畳地図画像と共に前記表示部に並列して表示させる請求項１乃至４のいずれかに記載の情報処理装置。
【請求項７】
前記表示制御手段は、前記第２の重畳地図画像を前記第１の重畳地図画像の表示領域内に挿入表示させる請求項１乃至４のいずれかに記載の情報処理装置。
【請求項８】
前記表示態様判定手段は、前記第１の重畳地図画像に重畳表示される前記エリアの境界の全体が表示されていないときに、前記表示態様が所定の表示態様でないと判定し、前記所定の表示態様でないとの判定に基づいて、前記表示制御手段は、前記第１の重畳地図画像の前記境界に近い部分を他の部分と異なる着色で表示する請求項１に記載の情報処理装置。
【請求項９】
自機の現在位置を検出する自機位置検出ステップと、
所定の属性を有するエリアに関するエリア情報を取得するエリア情報取得ステップと、
検出された前記自機の現在位置と地図情報記憶部に記憶された地図情報に基づく前記自機位置を示す地図画像に、取得した前記エリア情報に基づく前記エリアを前記地図画像に重畳表示した第１の重畳地図画像を表示部に表示する表示制御ステップと、
を有する情報処理方法であって、
更に、前記第１の重畳地図画像に重畳表示された前記エリアが所定の表示態様であるか否かを判定する表示態様判定ステップを有し、
該表示態様判定ステップで所定の表示態様でないと判定したときに、前記表示制御ステップは、前記第１の重畳地図画像を所定の表示態様となる第２の重畳地図画像に変更表示する情報処理方法。
【請求項１０】
自機の現在位置を検出する自機位置検出機能と、
所定の属性を有するエリアに関するエリア情報を取得するエリア情報取得機能と、
検出された前記自機の現在位置と地図情報記憶部に記憶された地図情報に基づく前記自機位置を示す地図画像に、取得した前記エリア情報に基づく前記エリアを前記地図画像に重畳表示した第１の重畳地図画像を表示部に表示する表示制御機能と、
をコンピュータに実行させるコンピュータプログラムであって、
更に、前記第１の重畳地図画像に重畳表示された前記エリアが所定の表示態様であるか否かを判定する表示態様判定機能を実行させ、
該表示態様判定機能の実行で所定の表示態様でないと判定したときに、前記表示制御機能は、前記第１の重畳地図画像を所定の表示態様となる第２の重畳地図画像に変更表示を行うコンピュータプログラム。
【発明の詳細な説明】
【技術分野】
【０００１】
本発明は、自機の現在位置を示す地図画像に、所定の属性を有するエリアの情報に基づいて当該エリアを重畳表示する情報処理装置、情報処理方法及びコンピュータプログラムに関する。
【背景技術】
【０００２】
近年、道路交通情報通信システムセンターのＶＩＣＳ  Ｗｉｄｅ（登録商標）システムにより大雨（ゲリラ豪雨）、津波、噴火等の気象・災害情報が配信されている。例えば、５０ｍｍ／ｈ（時間）を超える大雨が降った場合、走行する自車の位置を含む表示部の地図画像を表す図１５に示すように、地図画像１０２上にかかる大雨の降雨エリア１０１ａの一部をメッシュ（網掛け）で表示して、運転者等に注意を喚起させることができる。降雨エリア１０１ａの一部を視認した運転者は、表示部の地図画像１０２上で自車１０３の位置及び走行方向と、地図画像１０２上にかかる降雨エリア１０１ａの一部とを同時に把握することができ、大雨に対する避難等の対応が可能となる。
【０００３】
一般に、表示部に表示される地図画像では、車両の走行案内ルートを明示するために、道路の車線や交差点の形状等を明確に示す必要から地図画像の縮尺が比較的大きく設定されている。そのため、図１６に示すように、通常は広範囲となる降雨エリア１０１ｂが地図画像１０２の全体を覆うことになり、降雨エリア１０１ｂの境界が不明となる。そのため、降雨エリア１０１ｂから脱出する方向を判断することができないことになる。ところで、地震発生等の所定の条件の場合に、地図画像の範囲外まで拡張して表示を行う車両用ナビゲーション装置が開示されている（例えば、特許文献１参照）。
【先行技術文献】
【特許文献】
【０００４】
【特許文献１】特開２０１３−７２７４５号公報
【発明の概要】
【発明が解決しようとする課題】
【０００５】
上記特許文献１に開示される車両用ナビゲーション装置は、津波情報を受信したときに、車両の現在位置と、最も近い海域とを表示部に表示可能となるように、地図画像の縮尺を変更して表示するものである。このような表示により、運転者は現在位置と海域との位置関係を把握でき、海域と離れる方向に向けて避難することができる。
【０００６】
しかしながら、上記特許文献１の車両用ナビゲーション装置は、津波情報の受信により現在位置に最も近い海域を縮尺変更して表示するものであり、上述した大雨の降雨エリア等のエリア全体を表示するものではなく、エリア内からの脱出方向の特定、エリア進入の回避等ための走行方向の特定に供することができない。
【０００７】
本発明は、地図画像にエリア情報を重畳表示する際に、エリア全体の把握が可能な地図画像の表示を行う情報処理装置、情報処理方法及びプログラムの提供を目的とする。
【課題を解決するための手段】
【０００８】
上記課題を解決するために、本発明に係る情報処理装置は、自機の現在位置を検出する自機位置検出手段と、地図情報を記憶する地図情報記憶部と、所定の属性を有するエリアに関するエリア情報を取得するエリア情報取得手段と、検出された前記自機の現在位置と前記地図情報に基づく前記自機位置を示す地図画像に、取得した前記エリア情報に基づく前記エリアを前記地図画像に重畳表示した第１の重畳地図画像を表示部に表示する表示制御手段と、を有する情報処理装置であって、更に、前記第１の重畳地図画像に重畳表示された前記エリアが所定の表示態様であるか否かを判定する表示態様判定手段を有し、該表示態様判定手段が所定の表示態様でないと判定したときに、前記表示制御手段は、前記第１の重畳地図画像を所定の表示態様となる第２の重畳地図画像に変更表示する構成である。
【０００９】
このような構成によれば、所定の属性を有するエリアが重畳表示された第１の重畳地図画像におけるエリアの表示態様が所定の表示態様でないと判定したときに、第１の重畳地図画像を所定の表示態様となる第２の重畳地図画像に変更表示することができるので、所定の属性を有するエリアの表示を十分なものとすることができる。例えば、第１の重畳地図画像において、エリアの領域が第１の重畳地図画像の領域よりも広大であり、エリア全体を表示することができない表示態様のときに、第１の重畳地図画像の縮尺を小さくしてエリア全体を含むようにした第２の重畳地図画像に変更表示することで、エリア全体を把握することができる。例えば、エリアがゲリラ豪雨等の降雨エリアを示すときは、上記した第２の重畳地図画像を表示することで、車両の運転者はゲリラ豪雨から避難する対応等をとることが可能となる。なお、所定の属性を有するエリアは、天候、交通渋滞、路面状況、工事状況等の度合いを示すエリアを含む。また、第２の重畳地図画像は、第１の重畳地図画像の縮尺を拡大、縮小する他に、色彩変更等の表示変更も含むものである。
【００１０】
本発明に係る情報処理装置において、前記表示態様判定手段は、前記第１の重畳地図画像に重畳表示される前記エリアの境界が該エリアの境界全体の所定割合以下の表示であるときに、前記表示態様が所定の表示態様でないと判定し、該判定に基づいて、前記表示制御手段は、前記第１の重畳地図画像の縮尺を小さくして前記エリアの境界を境界全体の所定割合を超える表示とする第２の重畳地図画像に変更表示する構成とすることができる。
【００１１】
このような構成によれば、第１の重畳地図画像に重畳表示されるエリアの境界が境界全体の所定割合以下の表示のときに、第１の重畳地図画像の縮尺を小さくして前記エリアの境界を境界全体の所定割合を超えた表示とする第２の重畳地図画像に変更表示するので、例えば、エリアが豪雨エリアを示すときに、エリア全体の概要を把握することができ、避難等のルートを選択することができる。
【００１２】
本発明に係る情報処理装置において、前記表示態様判定手段は、前記第１の重畳地図画像に重畳表示される前記エリアに隣接する隣接エリアが存在し、前記隣接エリアの属性レベルが前記エリアの属性レベル以上であるときに、前記第１の重畳地図画像に重畳表示される前記エリア及び前記隣接エリアの境界の少なくとも一方がそれぞれの境界全体の所定割合以下の表示であるときに、前記表示態様が所定の表示態様でないと判定し、前記所定の表示態様でないとの判定に基づいて、前記表示制御手段は、前記第１の重畳地図画像の縮尺を小さくして前記エリア及び前記隣接エリアの境界を境界全体の所定割合を超える重畳表示とする第２の地図画像に変更表示する構成とすることができる。
【００１３】
このような構成によれば、第１の重畳地図画像に重畳表示されるエリアに隣接する隣接エリアの属性レベルが前記エリアの属性レベル以上のときは、前記エリア及び前記隣接エリアの境界の少なくとも一方がそれぞれの境界全体の所定割合以下の表示であるときに、前記表示態様が所定の表示態様でないと判定し、隣接エリアの境界も含めて境界全体の所定割合を超えて重畳表示する第２の重畳地図画像に変更表示するので、自機が含まれるエリアのほか、属性レベルが現在のエリア以上の隣接エリアの境界も把握できるので、豪雨エリア等の回避を適切に行うことができる。属性レベルとしては、降雨エリアを例にとると、避難レベル、警戒レベル、注意レベル等の段階が含まれる。
【００１４】
本発明に係る情報処理装置において、前記表示態様判定手段は、前記第１の重畳地図画像に重畳表示される前記エリアが前記自機から離れた、前記自機の進行方向の前方に位置し、前記エリアの境界の全体が表示されていないときに、前記表示態様が所定の表示態様でないと判定し、前記所定の表示態様でないとの判定に基づいて、前記表示制御手段は、前記第１の重畳地図画像の縮尺を小さくして前記エリアの境界全体を重畳表示する第２の重畳地図画像に変更表示する構成とすることができる。
【００１５】
このような構成によれば、自機の進行方向の前方に位置するエリアの一部が第１の重畳地図画像に表示されているときに、当該エリアの境界の全体を重畳表示する第２の重畳地図画像に変更表示するので、進行方向に存在するエリアの全体を把握することができ、迂回ルートの選択等が可能となる。
【００１６】
本発明に係る情報処理装置において、前記表示制御手段は、前記第１の重畳地図画像に重畳表示される前記エリアの境界が該エリアの境界全体の所定割合以下の表示態様であるときに、前記第１の重畳地図画像を所定距離移動させることで前記エリアの境界が該エリアの境界全体の所定割合を超えるときは、前記所定距離移動した前記第１の重畳地図画像を前記第２の重畳地図画像として変更表示する構成とすることができる。
【００１７】
このような構成によれば、第１の重畳地図画像をスライド移動させることで、第２の重畳地図画像とすることができるので、縮尺変更等の画像処理を要せずに表示することができる。
【００１８】
本発明に係る情報処理装置において、前記表示制御手段は、前記第２の重畳地図画像を前記第１の重畳地図画像と共に前記表示部に並列して表示させる構成とすることができる。
【００１９】
このような構成によれば、変更表示された第２の重畳地図画像を第１の重畳地図画像と並列表示されるので、エリア全体の把握が可能となり、迂回ルート等の選択が可能となる。
【００２０】
本発明に係る情報処理装置において、前記表示制御手段は、前記第２の重畳地図画像を前記第１の重畳地図画像の表示領域内に挿入表示させる構成とすることができる。
【００２１】
このような構成によれば、変更表示された第２の重畳地図画像を第１の重畳地図画像の表示領域内に挿入表示されるので、エリア全体の把握が可能となり、迂回ルート等の選択が可能となる。
【００２２】
本発明に係る情報処理装置において、前記表示態様判定手段は、前記第１の重畳地図画像に重畳表示される前記エリアの境界の全体が表示されていないときに、前記表示態様が所定の表示態様でないと判定し、前記所定の表示態様でないとの判定に基づいて、前記表示制御手段は、前記第１の重畳地図画像の前記境界に近い部分を他の部分と異なる着色で表示する構成とすることができる。
【００２３】
このような構成によれば、上記着色表示等によりエリアの境界に近い部分を示すことができるので、エリアからの脱出等のためのルート選択等を容易にすることが可能となる。
【００２４】
本発明に係る情報処理方法は、自機の現在位置を検出する自機位置検出ステップと、所定の属性を有するエリアに関するエリア情報を取得するエリア情報取得ステップと、検出された前記自機の現在位置と地図情報記憶部に記憶された地図情報に基づく前記自機位置を示す地図画像に、取得した前記エリア情報に基づく前記エリアを前記地図画像に重畳表示した第１の重畳地図画像を表示部に表示する表示制御ステップと、を有する情報処理方法であって、前記第１の重畳地図画像に重畳表示された前記エリアが所定の表示態様であるか否かを判定する表示態様判定ステップと、該表示態様判定ステップで所定の表示態様でないと判定したときに、前記表示制御ステップは、前記第１の重畳地図画像を所定の表示態様となる第２の重畳地図画像に変更表示する構成となる。
【００２５】
本発明に係るコンピュータプログラムは、自機の現在位置を検出する自機位置検出機能と、所定の属性を有するエリアに関するエリア情報を取得するエリア情報取得機能と、検出された前記自機の現在位置と地図情報記憶部に記憶された地図情報に基づく前記自機位置を示す地図画像に、取得した前記エリア情報に基づく前記エリアを前記地図画像に重畳表示した第１の重畳地図画像を表示部に表示する表示制御機能と、をコンピュータに実行させるプログラムであって、更に前記第１の重畳地図画像に重畳表示された前記エリアが所定の表示態様であるか否かを判定する表示態様判定機能を実行させ、該表示態様判定機能の実行で所定の表示態様でないと判定したときに、前記表示制御機能は、前記第１の重畳地図画像を所定の表示態様となる第２の重畳地図画像に変更表示を行う構成となる。
【発明の効果】
【００２６】
本発明によれば、所定の属性を有するエリアが重畳表示された第１の重畳地図画像におけるエリアの表示態様が所定の表示態様でないと判定したときに、第１の重畳地図画像を所定の表示態様となる２の重畳地図画像に変更表示することができるので、第２の重畳地図画像でエリアの表示を十分なものとすることができる。
【図面の簡単な説明】
【００２７】
【図１】本発明の第１の実施の形態に係る情報処理装置としての車載機器の構成を示すブロック図である。
【図２】本発明の第１の実施形態に係る情報処理装置としての車載機器の処理ユニットによる処理手順を示すフローチャートである（その１）。
【図３】本発明の第２の実施形態に係る情報処理装置としての車載機器の処理ユニットによる処理手順を示すフローチャートである（その２）。
【図４】属性を有するエリアを地図画像に重畳表示した第１の重畳地図画像である（重畳地図画像その１）。
【図５】第１の重畳地図画像を変更表示した第２の重畳地図画像である（重畳地図画像その２）。
【図６】第１の重畳地図画像を変更表示した第２の重畳地図画像である（重畳地図画像その３）。
【図７】属性を有するエリアを地図画像に重畳表示した第１の重畳地図画像である（重畳地図画像その４）
【図８】第１の重畳地図画像を変更表示した第２の重畳地図画像である（重畳地図画像その５）。
【図９】第１の重畳地図画像を変更表示した第２の重畳地図画像である（重畳地図画像その６）。
【図１０】第１の重畳地図画像を変更表示した第２の重畳地図画像である（重畳地図画像その７）。
【図１１】第１、第２の重畳地図画像を並列表示した重畳地図画像である（重畳地図画像その８）。
【図１２】第１の重畳地図画像に第２の重畳地図画像を挿入した重畳地図画像である（重畳地図画像その９）。
【図１３】第１、第２の重畳地図画像である（重畳地図画像その１０）。
【図１４】第１、第２の重畳地図画像である（重畳地図画像その１１）。
【図１５】地図画像にエリアを重畳した重畳表示画像である（重畳表示画像その１２）。
【図１６】地図画像にエリアを重畳した重畳表示画像である（重畳表示画像その１３）。
【発明を実施するための形態】
【００２８】
本発明の実施の形態について図面を用いて説明する。
【００２９】
（第１の実施形態）
本発明の第１の実施形態に係る情報処理装置としての車載機器は、図１に示すように構成される。
【００３０】
図１において、車載機器１０は、コンピュータユニット（例えば、ＣＰＵ、ＲＯＭ、ＲＡＭ、Ｉ／Ｏインターフェース及びバス等）によって構成される処理ユニット１２を有する。処理ユニット１２には、各種音源及び映像源（例えば、ＣＤ及びＤＶＤ）の再生処理が可能なＡＶユニット１５及び自車のナビゲーションが可能なナビゲーションユニット１７（ＧＰＳ受信機器、ジャイロセンサ、加速度センサ等）が接続されている。また、処理ユニット１２にはスピーカ１８と接続される出力回路１９が接続されている。これによって、ＡＶユニット１５及びナビゲーションユニット１７による処理に係る音声信号を出力回路１９を介し、スピーカ１８から出力可能となっている。加えて、処理ユニット１２には、ＡＶユニット１５及びナビゲーションユニット１７において利用する楽曲情報及び地図情報等の各種情報、後述するエリア情報を地図画像に重畳表示するプログラム等を記憶可能な記憶部２０（例えば、ハードディスク、フラッシュメモリ等）と、ＬＣＤ等によって構成される各種処理に伴う映像等を表示する表示部２１と、表示部２１上にタッチパネル形式にて形成される各種処理に必要な指示が入力可能な操作部２３とが接続されている。なお、操作部２３は、上記タッチパネル形式のソフトキーに替えて、押し釦形式のハードキーとすることができる。また、タッチパネル形式及び押し釦形式等の双方を操作部２３として使用することもできる。更に、処理ユニット１２には、道路交通情報通信システムセンターのＶＩＣＳ  Ｗｉｄｅ（登録商標）システムによる大雨（ゲリラ豪雨）、津波、噴火等の気象・災害情報（所定時間毎に更新されて送信される）をＦＭ多重放送等により受信する受信部２５が接続されている。
【００３１】
上記した車載機器１０では、例えば、フローチャートである図２に示すような手順（その１）で処理がなされる。なお、図２の手順の説明では、図１のブロック図を適宜参照する。
【００３２】
図２において、車両の発進時に操作されるスイッチ、例えば、ＡＣＣスイッチがオンに設定され、車載装置１０を作動させてエリア情報の受信を可能とする設定がなされることにより、エリア情報の受信が可能となる。車載装置１０の処理ユニット１２は、ナビゲーションユニット１７による自車位置情報の取得と、記憶部２０に記憶された地図情報とに基づいて、自車（不図示）の位置を示す地図画像を表示部２１に表示する（Ｓ１１：表示制御手段）。地図画像は、車両の運転者が自車と周囲の道路、交差点の状況を把握することができるように、例えば１００ｍ縮尺（実際の１００ｍを地図上の１ｃｍで示す、１／１００００縮尺）等で表示している。なお、自機としての情報処理装置である車載機器１０の位置を、車載機器１０を搭載した自車位置として取得する。
【００３３】
処理ユニット１２は、受信部２５を介して受信する、自車の周囲のエリア情報の有無を検出し（Ｓ１２）、天候等の所定の属性を有するエリア情報が有るときは（Ｓ１２のＹＥＳ）、これを取得し（Ｓ１３：エリア情報取得手段）、そして当該エリア情報に基づいて地図画像にエリアを重畳表示（第１の重畳地図画像）する（Ｓ１３：表示制御手段）。処理ユニット１２は、自車位置がエリア内に位置するか否かを判定し（Ｓ１４）、エリア内に位置すると判定したときは（Ｓ１４のＹＥＳ）、表示部２１に表示される第１の重畳地図画像（自車の位置を示す地図画像にエリアを重畳表示した重畳地図画像）において、所定の表示態様、すなわち表示部２１の画面に表示される第１の重畳地図画像中のエリアの境界がエリア全体の境界の所定割合以下であるか否かを判定する（Ｓ１５：表示態様判定手段）。所定割合については例えば８０％、７０％等の数値で初期設定されているが、これを変更することは可能である。第１の重畳地図画像である図４に示すように、第１の重畳地図画像３１における降雨エリア３２の境界が全く表示されないときは当然に所定割合以下と判定される。通常、走行案内のルート表示では、道路、交差点等の状況を明示するために、比較的大きな縮尺（例えば、１００ｍ縮尺）で表示することから、自車が降雨エリアに含まれているときは、降雨エリアの境界が表示されない場合が多い。また、図７に示すように、降雨エリア３２が第１の重畳地図画像３１の全体の８０％以上を占有するときも、エリアの境界がエリア全体の境界の所定割合（８０％、７０％等）以下であると判定される。
【００３４】
処理ユニット１２は、第１の重畳地図画像中のエリアの境界がエリア全体の境界の所定割合以下であると判定したときは（Ｓ１５のＹＥＳ）、エリアの境界がエリア全体の境界の所定割合を超えるように、第１の重畳地図画像の縮尺を変更（縮小）した第２の重畳地図画像を表示部２１に表示する（Ｓ１６：表示制御手段）。図４に示す第１の重畳地図画像３１を縮小した第２の重畳地図画像３５を示す図５において、降雨エリア３２の境界３７の全体が表示されている。また、図７に示す第１の重畳地図画像３１を縮小した第２の重畳地図画像３５を示す図８においても降雨エリア３２の境界３７の全体が表示されている。図５、図８においてエリアの境界がエリア全体の境界の所定割合を超える（境界全体も含む）第２の重畳地図画像が表示されることから、自車３０の運転者は降雨エリア３２を的確に把握することができ、走行ルートの変更、降雨エリア３２からの離脱等が容易となる。
【００３５】
処理ユニット１２は、自車位置がエリア内に位置しないと判定したときは（Ｓ１４のＮＯ）、自車からエリアまで所定距離以下であるか否かを判定し（Ｓ１７）、所定距離以下と判定したときは（Ｓ１７のＹＥＳ）、更にエリアが自車の進行方向に位置するか否かを判定する（Ｓ１８）。処理ユニット１２は、エリアが自車の進行方向に位置すると判定したときは（Ｓ１８のＹＥＳ）、第１の重畳地図画像に表示されるエリアの境界がエリアの全境界の所定割合以下の表示であるときは（Ｓ１５のＹＥＳ）、第１の重畳地図画像の縮尺を縮小してエリアの境界の所定割合を超えた表示となる第２の重畳地図画像を表示する（Ｓ１６：表示制御手段）。この場合、エリアの境界の全体を表示することが好ましい。所定時間の走行後に降雨エリア等に進入するおそれがあるときは、エリア全体を表示することが、早めの降雨エリアの回避等が可能となるからである。したがって、進行方向のエリアの境界の全体が表示されていないときは、たとえ初期設定が所定割合を超えた表示でも、境界の全体の表示をするように設定変更することが好ましい。第２の重畳地図画像を示す図６において、第２の重畳地図画像３５には、自車３０の進行方向に存在する降雨エリア３２の境界３７の全体を表示しているので、自車３０の進行方向の変更により降雨エリア３２への進入を回避することができる。なお、自車からエリアまで所定距離以内であるか否かの判断（Ｓ１７）においては、エリアが第１の重畳地図画像に表示されているか否かを問うものではない。
【００３６】
処理ユニット１２は、自車の位置がエリアまで所定距離以下でないと判定したとき（Ｓ１７のＮＯ）、又は自車の位置がエリアまで所定距離以下と判定したときであっても（Ｓ１７のＹＥＳ）、該エリアが自車の進行方向ではないと判定したときは、第１の重畳地図画像を継続して表示する（Ｓ１９：表示制御手段）。更に、エリアの境界がエリアの境界全体の所定割合以下でないときにも（Ｓ１５のＮＯ）、第１の重畳地図画像を継続して表示する。エリアが進行方向にないとき等は、第１の重畳地図画像を第２の重畳地図画像に変更して表示する実益がないので、第１の重畳地図画像を継続表示することとしたものである。
【００３７】
処理ユニット１２は、上述したように、第１の重畳地図画像を第２の重畳地図画像に変更して表示（Ｓ１６）、又は第１の重畳地図画像を継続表示（Ｓ１９）の後、地図画像表示を終了するか否かの操作の有無を判定し（Ｓ２０）、終了の操作が有るときは地図画像の表示を終了し（Ｓ２０のＹＥＳ）、終了の操作が無いときは（Ｓ２０のＮＯ）、新たなエリア情報を取得して繰り返し第１の重畳地図画像の表示から第２の重畳地図画像への変更表示等を行う。
【００３８】
上述したように、本実施形態によれば、ゲリラ豪雨等の降雨エリアをエリア情報に基づいて自車位置を含む道路の地図画像に重畳表示した第１の重畳地図画像を表示するときに、エリアの全体又はエリア全体の境界の所定割合を超えた表示をすることができないとき、第１の重畳地図画像の縮尺を変更（縮小）してエリアの全体又はエリアの境界の所定割合を超えた表示をすることができるので、自車の運転者は降雨エリア等のエリアを回避等することが容易となる。エリアには、降雨等の天候のほか、渋滞エリア、工事エリア、路面状況エリア等の属性を示すものが含まれる。
【００３９】
（第２の実施形態）
次に、本発明の第２の実施形態に係る情報処理装置としての車載機器について、図面を参照して説明する。本実施形態に係る車載機器１０は、第１の実施形態に係る車載機器１０と同様の構成であり、相違点は図３のフローチャートに示すように、処理ユニット１２の画像処理の手順（その２）にある。したがって、本実施形態の車載機器では、第１の実施形態に係る車載機器１０の構成要素と同一名称、同一符号を使用し、構成要素の説明を省略する。また、第１の実施形態と相違する点を中心に説明し、重複する点は適宜省略する。
【００４０】
図３において、スイッチＯＮにより作動状態となった車載装置１０の処理ユニット１２は、ナビゲーションユニット１７による自車位置情報の取得と、記憶部２０に記憶された地図情報とに基づいて、自車（不図示）の位置を示す地図画像を表示部２１に表示する（Ｓ３１：表示制御手段）。
【００４１】
処理ユニット１２は、受信部２５を介して受信する、自車位置が含まれるエリアのエリア情報及び自車位置の周囲にあるエリアのエリア情報の有無を検出し（Ｓ３２）、天候等のエリア情報が有るときは（Ｓ３２のＹＥＳ）、これを取得し（Ｓ３３：エリア情報取得手段）、そして当該エリア情報に基づいて地図画像にエリアを重畳表示（第１の重畳地図画像）する（Ｓ３３：表示制御手段）。処理ユニット１２は、自車位置が含まれるエリアのエリア情報及び自車位置の周囲にあるエリアのエリア情報を検出できないときは（Ｓ３２のＮＯ）、更に所定時間毎に自車位置が含まれるエリアのエリア情報及び自車位置の周囲にあるエリアのエリア情報の検出を繰り返し行う。
【００４２】
上記した第１の重畳地図画像を表示した後、処理ユニット１２は、自車が含まれるエリアの属性レベルに対して、その周囲のエリアの属性レベルの方が高い又は同一であるか否かを判定する（Ｓ３４：表示態様判定手段）。例えば、降雨エリアについて、注意報、警報、警戒情報、特別警報等のレベル段階が設定されているときに（注意報＜警報＜警戒情報＜特別警報・・より右側に位置する方がレベルは高い。）、各エリアの降雨レベルの高低を判定する。処理ユニット１２は、自車が含まれるエリアよりも、隣接等の周囲のエリアの属性レベルの方が高い又は同一と判定したときは（Ｓ３４のＹＥＳ）、第１重畳地図画像に表示される、自車が含まれるエリア及び周囲エリアの境界の少なくとも一方が境界全体の所定割合以下のときは（所定の表示態様でないとして）、自車が含まれるエリア及び周囲エリアの境界を境界全体の所定割合を超えるように第１の重畳地図画像の縮尺を変更（縮小）する（Ｓ３５：表示制御手段）。そして、処理ユニット１２は、上記したように第１の重畳地図画像の縮尺を変更した重畳画像を、第２の重畳地図画像として表示部２１に表示する（Ｓ３６：表示制御手段）。第２の重畳地図画像を表した図９に示すように、自車３０の位置を含む降雨エリア３２の属性レベルが警報で、隣接する周囲の降雨エリア３２ａの属性レベルがより高い警報情報であるから、降雨エリア３２及び隣接する周囲の降雨エリア３２ａの境界全体を表示している。なお、両エリアとも境界全体の所定割合を超えた境界の表示でも良いが、図９に示すように、両エリアとも境界全体を表示した第２の重畳地図画像３５とすることで、自車３０の進路方向の判断等がより的確に行える。
【００４３】
処理ユニット１２は、周囲エリアの属性レベルが自車の位置が含まれるエリアの属性レベルよりも低いと判定したときは（Ｓ３４のＮＯ）、自車が含まれるエリアの境界が境界全体の所定割合を超えるように、第１の重畳地図画像の縮尺を変更（縮小）する（Ｓ３７：表示制御手段）。そして、処理ユニット１２は、上記したように第１の重畳地図画像の縮尺を変更した重畳画像を、第２の重畳地図画像として表示部２１に表示する（Ｓ３６：表示制御手段）。第２の重畳地図画像を表した図１０に示すように、自車３０の位置を含む降雨エリア３２の属性レベルが警報で、隣接する周囲の降雨エリア３２ｂの属性レベルがより低い注意報であるから、隣接する周囲の降雨エリア３２ｂの境界の表示は考慮することなく、降雨エリア３２の境界の全体を表示した第２の重畳地図画像を表している。なお、図１０では、降雨エリア３２の境界を境界全体の所定割合を超えた表示としても良いが、自車３０の進路方向の判断等が的確に行えることから、降雨エリア３２の境界全体を表示することが好ましい。更に、第１の実施形態でも同様に、第１の重畳地図画像において、既に表示されたエリアの境界が境界全体の所定割合を超えているときは、変更表示（縮小）した第２の重畳地図画像を表示することなく、継続して第１の重畳地図画像を継続表示することができる。
【００４４】
処理ユニット１２は、上述したように、第１の重畳地図画像を第２の重畳地図画像に変更して表示（Ｓ３６）した後、地図画像表示を終了するか否かの操作の有無を判定し（Ｓ３８）、終了の操作が有るときは地図画像の表示を終了し（Ｓ３８のＹＥＳ）、終了の操作が無いときは（Ｓ３８のＮＯ）、新たなエリア情報を取得して繰り返し第１の重畳地図画像の表示から第２の重畳地図画像への変更表示等を行う。
【００４５】
上述したように、本実施形態によれば、第１の重畳地図画像を表示するときに、自車の位置を含むエリアに隣接する隣接エリアが存在し、前記隣接エリアの属性レベルが前記エリアの属性レベル以上であるときに、エリア及び隣接エリアの境界の少なくとも一方がそれぞれの境界全体の所定割合以下の表示であるときには（表示態様が所定の表示態様でないと判定）、第１の重畳地図画像の縮尺を小さくして自車の位置を含むエリア及び隣接エリアの境界を境界全体の所定割合を超えた境界（又は全部）の重畳表示とする第２の地図画像に変更表示するので、自車の進行方向、進行経路の選択に大きく寄与することができる。
【００４６】
（他の実施形態）
上記した第１、第２の実施形態の他に、以下のような第２の重畳地図画像の表示をすることができる。図１１では、表示部２１の左側半分の領域に第１の重畳地図画像３１を表示し、表示部２１の右側半分に第２の重畳地図画像３５が表示されている。第１の重畳地図画像３１では全体が降雨エリア３２に覆われているため、降雨エリア３２の境界が表示されておらず、降雨エリア３２の全体を把握することができないが、降雨エリア３２の境界全体を表示した縮小画像である第２の重畳地図画像３５により、降雨エリア３２全体を把握することができ、走行ルートの選択等に寄与することが可能となる。また、図１２では、表示部２１に表示された第１の重畳地図画像３１の一部領域に第２の重畳地図画像３５が挿入されているので、降雨エリア３２の全体を把握することができ、上記同様、走行ルートの選択等寄与することが可能となる。
【００４７】
また、図１３に示すように、表示部２１に表示された第１の重畳地図画像３１をスライド移動させることで、降雨エリア３２の境界全体を表示することが可能であるときは、第１の重畳地図画像をスライド移動させたものを第２の重畳地図画像３５として表示する。この場合には、縮尺変更の操作を要することなく、スライド移動のみで第２の重畳地図画像３５を表示することができ、上述同様、走行ルートの選択等に寄与することができる。更に、図１４に示すように、表示部２１に表示された第１の重畳地図画像３１の全体を降雨エリア３２が占有したときに、境界に最も近い領域３２ｃを降雨エリア３２と異なる着色にすることで、最短の境界の方向を表示することができる。これにより、自車３０を降雨エリア３２から迅速に脱出させるように進路を変更すること等ができる。
【００４８】
上述したように、自車の位置を含む地図画像に天候等の属性を示すエリアを重畳表示した第１の重畳地図画像を表示する際に、該第１の重畳地図画像の縮尺ではエリア全体を表示することが殆どできないが、エリアの境界を全境界の所定割合を超えた表示、又は全境界を表示する第２の重畳地図画像を表示することで、自車のエリアからの脱出、回避等が容易かつ的確に行うことができる。本実施形態に係る情報処理装置を車載機器１０に適用しているが、これに限定するものでなく、スマートフォン等の携帯端末でも実現することができる。
【産業上の利用可能性】
【００４９】
以上、説明したように、本発明に係る情報処理装置は、当初表示された第１の重畳地図画像を所定の表示態様となる２の重畳地図画像に変更表示することができるので、第２の重畳地図画像でエリアの表示を十分なものとすることができるという効果を奏し、自機の現在位置を示す地図画像にエリア情報に基づくエリアを重畳表示する情報処理装置、情報処理方法及びコンピュータプログラムとして有用である。
【符号の説明】
【００５０】
１０    車載機器
１２    処理ユニット
１５    ＡＶユニット
１７    ナビゲーションユニット
１８    スピーカ
１９    出力回路
２０    記憶部
２１    表示部
２３    操作部
２５    受信部
３０    自車（車両）
３１    第１の重畳地図画像
３２    エリア（降雨エリア）
３５    第２の重畳地図画像
３７    境界
【図１】
2018049094.tif 000003
【図２】
2018049094.tif 000004
【図３】
2018049094.tif 000005
【図４】
2018049094.tif 000006
【図５】
2018049094.tif 000007
【図６】
2018049094.tif 000008
【図７】
2018049094.tif 000009
【図８】
2018049094.tif 000010
【図９】
2018049094.tif 000011
【図１０】
2018049094.tif 000012
【図１１】
2018049094.tif 000013
【図１２】
2018049094.tif 000014
【図１３】
2018049094.tif 000015
【図１４】
2018049094.tif 000016
【図１５】
2018049094.tif 000017
【図１６】
2018049094.tif 000018